(57)【要約】【課題】押しボタンの押し間違いを低減できる押しボタン用補助部材を提供すること。【解決手段】複数の押しボタン１００を備える端末１において、複数の押しボタン１００のうちの特定押しボタン１１０の押しボタン天面１１１に取り付けられる押しボタン用補助部材３０であって、押しボタン天面１１１の面積よりも大きい面積の補助部材天面３０ａを有し、補助部材天面３０ａは、特定押しボタン１１０に隣接して配置される押しボタン１００の天面１００ａよりも高い位置に配置される。【選択図】図２
2018006073.tif 000002
【特許請求の範囲】
【請求項１】
複数の押しボタンを備える端末において、前記複数の押しボタンのうちの特定押しボタンの押しボタン天面に取り付けられる押しボタン用補助部材であって、
前記押しボタン天面の面積よりも大きい面積の補助部材天面を有する押圧部を備え、
前記補助部材天面は、前記特定押しボタンに隣接して配置される前記押しボタンの天面よりも高い位置に配置される押しボタン用補助部材。
【請求項２】
前記押しボタン天面には、係合部が設けられ、
前記押しボタン用補助部材は、前記係合部に係合される被係合部を更に備える請求項１に記載の押しボタン用補助部材。
【請求項３】
前記押しボタン用補助部材は、前記押圧部における前記補助部材天面と反対側に接続され前記特定押しボタンの前記押しボタン天面に取り付けられるストローク部を更に備え、
前記ストローク部の外形の大きさは、前記特定押しボタンの外形の大きさ以下である請求項１又は２に記載の押しボタン用補助部材。
【請求項４】
前記押しボタン用補助部材は、透明又は半透明の樹脂製である請求項１から３のいずれかに記載の押しボタン用補助部材。
【発明の詳細な説明】
【技術分野】
【０００１】
本発明は、押しボタン用補助部材に関する。より詳細には、複数の押しボタンを備える電話機などの端末において、複数の押しボタンのうちの特定押しボタンの押しボタン天面に取り付けられる押しボタン用補助部材に関する。
【背景技術】
【０００２】
従来、複数の押しボタンを備える電話機などの端末には、一般的に、ダイヤルボタン以外に、短縮ダイヤルや転送ボタンやスピーカボタンなどの機能を割り当てた複数の機能ボタンが設けられている。機能ボタンは、比較的小さいため、押したい機能ボタン（押しボタン）を押そうとしても、押したい機能ボタンに隣接する機能ボタンを間違えて押してしまうことがある。そのため、機能ボタン（押しボタン）の押し間違いを低減できるような工夫が望まれる。
【０００３】
ところで、複数の押しボタンを備える電話機などの端末において、押しボタンの天面に、カバー部材が取り付けられているものがある（例えば、特許文献１〜３参照）。
【先行技術文献】
【特許文献】
【０００４】
【特許文献１】特開２００２−７５１１６号公報
【特許文献２】特開２００３−２８８８１７号公報
【特許文献３】実開平１−８６１３０号公報
【発明の概要】
【発明が解決しようとする課題】
【０００５】
特許文献１〜３に記載の技術は、単に、押しボタンにカバー部材が取り付けられているのみであって、押しボタンの押し間違いを低減するための技術については考慮されていない。
【０００６】
本発明は、押しボタンの押し間違いを低減できる押しボタン用補助部材を提供することを目的とする。
【課題を解決するための手段】
【０００７】
本発明によれば、複数の押しボタンを備える端末において、前記複数の押しボタンのうちの特定押しボタンの押しボタン天面に取り付けられる押しボタン用補助部材であって、前記押しボタン天面の面積よりも大きい面積の補助部材天面を有する押圧部を備え、前記補助部材天面は、前記特定押しボタンに隣接して配置される前記押しボタンの天面よりも高い位置に配置される押しボタン用補助部材が提供される。
【発明の効果】
【０００８】
本発明によれば、押しボタンの押し間違いを低減できる押しボタン用補助部材を提供できる。
【図面の簡単な説明】
【０００９】
【図１】卓上電話機に一実施形態の押しボタン用補助部材を取り付けた状態を示す斜視図である。
【図２】卓上電話機に一実施形態の押しボタン用補助部材を取り付けた状態を示す部分拡大斜視図である。
【図３】卓上電話機から一実施形態の押しボタン用補助部材を取り付け外した状態を示す部分拡大斜視図である。
【図４】図２におけるＡ−Ａ線断面図である。
【図５】図２におけるＢ−Ｂ線断面図である。
【発明を実施するための形態】
【００１０】
以下、本発明の押しボタン用補助部材の好ましい一実施形態について図面を参照しながら説明する。図１は、卓上電話機１に一実施形態の押しボタン用補助部材３０を取り付けた状態を示す斜視図である。図２は、卓上電話機１に一実施形態の押しボタン用補助部材３０を取り付けた状態を示す部分拡大斜視図である。図３は、卓上電話機１から一実施形態の押しボタン用補助部材３０を取り付け外した状態を示す部分拡大斜視図である。図４は、図２におけるＡ−Ａ線断面図である。図５は、図２におけるＢ−Ｂ線断面図である。なお、本実施形態においては、図１における卓上電話機１を正面から視た場合（卓上電話機１のディスプレイ表示部１１に対面した場合）における左右の向きを左右方向といい、図１における卓上電話機１を正面から視た場合（卓上電話機１のディスプレイ表示部１１に対面した場合）における前後の向きを前後方向という。
【００１１】
押しボタン用補助部材３０は、図１に示すように、端末としての卓上電話機１のフックボタン１１０（特定押しボタン）に取り付けられる。卓上電話機１は、主に、電話の着信や受信に使用される。卓上電話機１は、図１に示すように、電話機本体１０と、受話部２０と、を備える。
【００１２】
電話機本体１０は、ディスプレイ表示部１１と、ラインキー部１２と、ファンクションキー部１３と、ダイヤルキー部１４と、カーソルキー部１５と、本体ケース１６と、表面カバー１７と、を有する。受話部２０は、ハンドセット受け部２１に配置されるハンドセット２２と、長手方向中央部に配置されたスピーカ２３と、を備える。
【００１３】
ラインキー部１２、ファンクションキー部１３、ダイヤルキー部１４及びカーソルキー部１５は、それぞれ、複数の押しボタン１００を備えて構成される。本実施形態においては、ラインキー部１２、ファンクションキー部１３及びカーソルキー部１５の押しボタン１００は、図１に示すように、卓上電話機１を正面から視た場合に、左右方向に細長く延びて形成される。ダイヤルキー部１４は、卓上電話機１を正面から視た場合に、円形状に形成される。ラインキー部１２、ファンクションキー部１３、ダイヤルキー部１４及びカーソルキー部１５の複数の押しボタン１００の大きさは、ダイヤルキー部１４の押しボタン１００よりも比較的小さい。
【００１４】
本体ケース１６は、電話機本体１０のケースであり、表面１６ａ（図４、図５参照）が平面状に形成される。本体ケース１６の表面１６ａは、手前側が下るように傾斜して形成されている。本体ケース１６の表面１６ａには、本体ケース１６の表面１６ａに沿って、表面カバー１７が取り付けられる。
【００１５】
本体ケース１６には、図２〜図５に示すように、複数の開口１６１が形成される。表面カバー１７には、複数の開口１７１が形成される。本体ケース１６及び表面カバー１７は、ラインキー部１２、ファンクションキー部１３、ダイヤルキー部１４及びカーソルキー部１５の複数の押しボタン１００が、外部に露出するように、開口１６１，１７１を介して、本体ケース１６の表面１６ａ及び表面カバー１７の表面１７ａから突出して配置される。複数の押しボタン１００は、それぞれ、電話機本体１０の本体ケース１６の開口１６１の内側において、ストローク方向Ｓ（表面１６ａに直交する方向）に移動可能に配置される。
【００１６】
ディスプレイ表示部１１は、図１に示すように、電話機本体１０の奥側の上部に配置され、各種情報を表示する。
ラインキー部１２は、ディスプレイ表示部１１の手前側に配置される。
ダイヤルキー部１４は、卓上電話機１の左右方向の略中央において、ラインキー部１２の手前側に配置される。
【００１７】
ファンクションキー部１３は、ダイヤルキー部１４の右側において、ラインキー部１２の手前側に配置される。ファンクションキー部１３を構成する押しボタン１００として、例えば、短縮ダイヤル、転送ボタン、スピーカボタン、フックボタンなどを挙げることができる。
【００１８】
次に、本発明に係る押しボタン用補助部材３０について説明する。本実施形態においては、押しボタン用補助部材３０は、ファンクションキー部１３の複数の押しボタン１００のうちの、特定押しボタンとしてのフックボタン１１０に取り付けられる。押しボタン用補助部材３０は、図３に示すように、フックボタン１１０の押しボタン天面１１１に取り付けられる。
【００１９】
本実施形態では、図１に示すように、フックボタン１１０は、ファンクションキー部１３の２列のうちの奥側の列における左側のボタンである。フックボタン１１０は、フッキング信号（短い回線切断の信号）を送出するためのボタンである。フックボタン１１０は、例えば、企業内の構内用の電話交換機につながれている内線電話において、通話を電話交換機で保留して他の内線電話に転送するときなどに使用される。
【００２０】
本実施形態では、特定押しボタンを、例えば、ファンクションキー部１３の押しボタンのうちのフックボタン１１０（押しボタン）により構成している。本実施形態においては、特定押しボタンとは、複数の押しボタン１００のうち、本発明に係る押しボタン用補助部材３０を取り付ける押しボタン（本実施形態におけるフックボタン１１０）を意味する。
【００２１】
押しボタン用補助部材３０が取り付けられる特定押しボタン（フックボタン１１０）は、押し間違いを低減したい押圧ボタンである。特定押しボタン（フックボタン１１０）は、比較的使用頻度が高い押しボタンであることが好ましい。比較的使用頻度が高い特定押しボタン（フックボタン１１０）に対して、押し間違いを低減できるためである。押しボタン用補助部材３を特定押しボタンに取り付けることは、特に、手が不自由なユーザや、指の太いユーザが、卓上電話機１などの端末を使用する場合に、押しボタン１００の押し間違いを低減できるという観点から有用である。
【００２２】
なお、本実施形態では、特定押しボタンをフックボタン１１０により構成したが、これに限定されない。例えば、押しボタン用補助部材３０を取り付ける特定押しボタンを、フックボタン１１０以外の押しボタンに適宜設定してもよい。
【００２３】
フックボタン１１０（特定押しボタン）は、図４及び図５に示すように、押しボタン用補助部材３０が押された場合に、ストローク方向Ｓに移動する。ストローク方向Ｓは、フックボタン１１０が移動する方向であって、卓上電話機１の本体ケース１６の開口１６１において、本体ケース１６の表面１６ａに直交する方向である。
【００２４】
フックボタン１１０の押しボタン天面１１１には、図３〜図５に示すように、押しボタン用補助部材３０の一対の係合凸部３３，３３（後述）が係合する一対の係合凹部１１２，１１２（係合部）が形成されている。一対の係合凹部１１２，１１２は、それぞれ、フックボタン１１０の押しボタン天面１１１から、円柱状に窪んで形成される。
【００２５】
押しボタン用補助部材３０は、図３〜図５に示すように、押しボタン用補助部材３０の左右方向の中央に対して左右対称の形状に形成されると共に、押しボタン用補助部材３０の前後方向の中央に対して前後対称の形状に形成される。そのため、押しボタン用補助部材３０の形状は、水平方向において１８０°回転させて、左右を入れ替えても使用できる形状である。
【００２６】
押しボタン用補助部材３０は、押圧部３１と、ストローク部３２と、一対の係合凸部３３，３３（被係合部）と、を備える。ストローク部３２及び押圧部３１は、ストローク方向Ｓに連続して形成される。
【００２７】
押圧部３１は、所定の厚みを有し、左右方向に延びる平板状に形成される。押圧部３１は、補助部材天面３０ａ側から視た場合に（本体ケース１６の表面１６ａに直交する方向に視た場合に）、角部が曲面状に面取りされた略方形状に形成される。押圧部３１の下部は、ストローク部３２の上部に接続される。押圧部３１の上面には、補助部材天面３０ａが設けられる。
【００２８】
補助部材天面３０ａは、押しボタン天面１１１の面積よりも大きい面積で構成される。具体的には、本実施形態においては、図４に示すように、押圧部３１の補助部材天面３０ａの左右方向の長さＬ１１は、押しボタン天面１１１の左右方向の長さＬｘよりも長い（Ｌ１１＞Ｌｘ）。図５に示すように、押圧部３１の補助部材天面３０ａの前後方向の長さＬ１２は、押しボタン天面１１１の前後方向の長さＬｙよりも長い（Ｌ１２＞Ｌｙ）。
補助部材天面３０ａは、フックボタン１１０に隣接して配置される押しボタン１００の天面１００ａよりも高い位置に配置される。
【００２９】
ストローク部３２は、所定の厚みを有し、左右方向に延びる平板状に形成される。ストローク部３２は、補助部材天面３０ａ側から視た場合に（本体ケース１６の表面１６ａに直交する方向に視た場合に）、角部が曲面状に面取りされた略方形状に形成される。ストローク部３２の上部は、押圧部３１における補助部材天面３０ａとは反対側の下部に接続される。ストローク部３２の下部は、後述する一対の係合凸部３３，３３を介して、フックボタン１１０の押しボタン天面１１１に取り付けられる。
【００３０】
ストローク部３２の外形の大きさは、補助部材天面３０ａ側から視た場合に（本体ケース１６の表面１６ａに直交する方向に視た場合に）、押圧部３１の外形の大きさよりも小さい。具体的には、本実施形態においては、図４に示すように、ストローク部３２の左右方向の長さＬ２１は、押圧部３１の補助部材天面３０ａの左右方向の長さＬ１１よりも短い（Ｌ２１＜Ｌ１１）。図５に示すように、ストローク部３２の前後方向の長さＬ２２は、押圧部３１の補助部材天面３０ａの前後方向の長さＬ１２よりも短い（Ｌ２２＜Ｌ１２）。
【００３１】
また、ストローク部３２の外形の大きさは、補助部材天面３０ａ側から視た場合に、フックボタン１１０の外形の大きさと同じである。具体的には、本実施形態においては、図４に示すように、ストローク部３２の左右方向の長さＬ２１は、フックボタン１１０の左右方向の長さＬｘと同じである（Ｌ２１＝Ｌｘ）。図５に示すように、ストローク部３２の前後方向の長さＬ２２は、フックボタン１１０の前後方向の長さＬｙと同じである（Ｌ２２＝Ｌｙ）。
【００３２】
また、ストローク部３２の外形の大きさは、補助部材天面３０ａ側から視た場合に、電話機本体１０の本体ケース１６の開口１６１の大きさよりも小さい。具体的には、本実施形態においては、図４に示すように、ストローク部３２の左右方向の長さＬ２１は、開口１６１の左右方向の長さＬａよりも短い（Ｌ２１＜Ｌａ）。図５に示すように、ストローク部３２の前後方向の長さＬ２２は、開口１６１の前後方向の長さＬｂよりも短い（Ｌ２２＜Ｌｂ）。
【００３３】
一対の係合凸部３３，３３は、それぞれ、押しボタン用補助部材３０のストローク部３２の下部から、円柱状に突出して形成される。一対の係合凸部３３，３３は、フックボタン１１０の一対の係合凹部１１２，１１２に係合する。
【００３４】
以上説明した一実施形態の押しボタン用補助部材３０によれば、以下のような効果を奏する。
【００３５】
本実施形態では、フックボタン１１０の押しボタン天面１１１の面積よりも大きい面積の補助部材天面３０ａを有する押圧部３１を備え、補助部材天面３０ａは、フックボタン１１０に隣接して配置される押しボタン１１０の天面１１０ａよりも高い位置に配置される。そのため、フックボタン１１０の押し間違いを低減できる。
【００３６】
また、本実施形態においては、押しボタン天面１１１には、係合凹部１１２が設けられ、押しボタン用補助部材３０は、係合凹部１１２に係合される係合凸部３３を備える。そのため、係合凹部１１２を係合凸部３３に係合させるだけで、押しボタン用補助部材３０をフックボタン１１０に、容易に取り付けることができる。
【００３７】
また、本実施形態においては、ストローク部３２の外形の大きさは、フックボタン１１０の外形の大きさ以下である。そのため、押しボタン用補助部材３０をフックボタン１１０に取り付けた状態でフックボタン１１０を押した場合に、押しボタン用補助部材３０が卓上電話機１の本体ケース１６の開口１６１の縁部に当接することを防止できる。これにより、フックボタン１１０の移動を途中で妨げることを防止できる。
【００３８】
以上、本発明の押しボタン用補助部材３０の好ましい各実施形態につき説明したが、本発明は、上述の実施形態に制限されるものではなく、適宜変更が可能である。
例えば、特定押しボタン（例えば、フックボタン１１０）の上面や特定押しボタンの近傍に示名条（ボタンの割り当てを印刷したシートなど）が取り付けられている場合に、押しボタン用補助部材３０を透明又は半透明の樹脂製で形成してもよい。押しボタン用補助部材３０を透明又は半透明の樹脂製で形成することで、押しボタン用補助部材３０を特定押しボタンに取り付けた場合においても、示名条に書かれた文字を視認しやすい。
【００３９】
また、前記実施形態では、押しボタン用補助部材３０を複数の押しボタン１００のうちの１つの特定押しボタンであるフックボタン１１０に取り付けているが、これに限定されず、複数の押しボタン１００のうちの２つ以上の特定押しボタンに取り付けてもよい。
【００４０】
また、前記実施形態では、押しボタン用補助部材３０を卓上電話機１に取り付ける構成として、係合凸部及び係合凹部を設けたが、これに限定されない。例えば、係合部及び被係合部の凹凸が逆の形状であってもよいし、爪部と爪部が係止される係止部とを有していてもよい。また、係合部及び被係合部を有さずに、例えば、貼着部材を用いて、フックボタン１１０に押しボタン用補助部材３０を貼り付けてもよい。
【００４１】
また、前記実施形態では、ストローク部３２の外形の大きさを、補助部材天面３０ａ側から視た場合に、フックボタン１１０の外形の大きさと同じ大きさとしたが、これに限定されない。ストローク部３２の外形の大きさは、フックボタン１１０の外形の大きさよりも大きくてもよく、フックボタン１１０の外形の大きさよりも小さくてもよい。
ストローク部３２の外形の大きさがフックボタン１１０の外形の大きさよりも小さい場合には、押しボタン用補助部材３０が卓上電話機１の本体ケース１６の開口１６１の縁部に当接することを一層防止できる。そのため、フックボタン１１０の移動を途中で妨げることを一層防止できる。
ストローク部３２の外形の大きさがフックボタン１１０の外形の大きさよりも大きい場合であっても、卓上電話機１の本体ケース１６の開口１６１の外形の大きさ以下であれば、フックボタン１１０の移動を途中で妨げることを防止できる。
【００４２】
また、前記実施形態においては、端末を卓上電話機１により説明しているが、これに限定されず、例えば、店舗等に設置される情報入力端末であってもよい。
【００４３】
上記の実施形態の一部又は全部は、以下の付記のようにも記載されうるが、以下には限られない。
（付記１）  複数の押しボタンを備える端末において、前記複数の押しボタンのうちの特定押しボタンの押しボタン天面に取り付けられる押しボタン用補助部材であって、
前記押しボタン天面の面積よりも大きい面積の補助部材天面を有する押圧部を備え、
前記補助部材天面は、前記特定押しボタンに隣接して配置される前記押しボタンの天面よりも高い位置に配置される押しボタン用補助部材。
（付記２）  前記押しボタン天面には、係合部が設けられ、
前記押しボタン用補助部材は、前記係合部に係合される被係合部を更に備える付記１に記載の押しボタン用補助部材。
（付記３）  前記押しボタン用補助部材は、前記押圧部における前記補助部材天面と反対側に接続され前記特定押しボタンの前記押しボタン天面に取り付けられるストローク部を更に備え、
前記ストローク部の外形の大きさは、前記特定押しボタンの外形の大きさ以下である付記１又は２に記載の押しボタン用補助部材。
（付記４）  前記押しボタン用補助部材は、透明又は半透明の樹脂製である付記１から３のいずれかに記載の押しボタン用補助部材。
【符号の説明】
【００４４】
１  卓上電話機（端末）
３０  押しボタン用補助部材
３１  押圧部
３２  ストローク部
３３  係合凸部（被係合部）
３０ａ  補助部材天面
１００  押しボタン
１００ａ  天面
１１０  フックボタン（特定押しボタン）
１１１  押しボタン天面
１１２  係合凹部（係合部）
【図１】
2018006073.tif 000003
【図２】
2018006073.tif 000004
【図３】
2018006073.tif 000005
【図４】
2018006073.tif 000006
【図５】
2018006073.tif 000007
【手続補正書】
【提出日】平成29年4月18日(2017.4.18)
【手続補正１】
【補正対象書類名】特許請求の範囲
【補正対象項目名】全文
【補正方法】変更
【補正の内容】
【特許請求の範囲】
【請求項１】
複数の押しボタンを備える端末において、前記複数の押しボタンのうちの特定押しボタンの押しボタン天面に取り付けられる押しボタン用補助部材であって、
前記押しボタン天面の面積よりも大きい面積の補助部材天面を有する押圧部を備え、
前記補助部材天面は、前記特定押しボタンに隣接して配置される前記押しボタンの天面よりも高い位置に配置され、
前記押しボタン用補助部材は、前記押圧部における前記補助部材天面と反対側に接続され、前記特定押しボタンの前記押しボタン天面に取り付けられるストローク部を更に備え、
前記ストローク部の外形の大きさは、前記特定押しボタンの外形の大きさ以下である押しボタン用補助部材。
【請求項２】
前記押しボタン天面には、係合部が設けられ、
前記押しボタン用補助部材は、前記係合部に係合される被係合部を更に備える請求項１に記載の押しボタン用補助部材。
【請求項３】
前記押しボタン用補助部材は、透明又は半透明の樹脂製である請求項１又は２に記載の押しボタン用補助部材。